(57)【要約】【課題】  支持脚に事後的な加工処理を必要としなくとも、ポールを掛架するために必須なクランプを簡単かつ確実に取り付けることができるバリケード用支持脚のクランプ取付構造を提供すること。【解決手段】  少なくとも２個のプラスチック枠体１・１間にポール部材Ｐを掛架するためのクランプ２を固定するためにビーム部11が設けられ、かつ、前記クランプ２は、ポール挟持部21と取付治具22とを連結して構成され、かつ、当該取付治具22にはシャンク部ｓを有する止着具22ａを備える一方、前記ビーム部11の側面には、内側に凹入せる縦溝12が形成され、この縦溝12の凹入部に前記止着具22ａのシャンク部ｓを添合させるごとく充当して、この止着具22ａを止着することにより取付治具22がビーム部11に固定され、クランプ２を取り付けるという技術的手段を採用した。【選択図】  図１
2005226228.tif 000002
【特許請求の範囲】
【請求項１】
脚部13において起立可能となるごとくブロー成形された中空のプラスチック枠体１であって、これら少なくとも２個のプラスチック枠体１・１間にポール部材Ｐを掛架するためのクランプ２を固定するためにビーム部11が設けられ、かつ、前記クランプ２は、ポール挟持部21と前記プラスチック枠体１のビーム部11に固定するための取付治具22とを連結して構成され、かつ、当該取付治具22にはシャンク部ｓを有する止着具22ａを備える一方、前記ビーム部11の側面には、内側に凹入せる縦溝12が形成され、この縦溝12の凹入部に前記止着具22ａのシャンク部ｓを添合させるごとく充当して、この止着具22ａを止着することにより取付治具22がビーム部11に固定され、クランプ２を取り付けることを特徴とするバリケード用支持脚のクランプ取付構造。
【請求項２】
クランプ２の取付治具22の止着具22ａは、一対のボルト部材とナット部材とから構成されており、このボルト部材の円筒部またはネジ部を縦溝12の凹入部に添合させた状態で前記ナット部材と螺合することにより止着せしめることを特徴とする請求項１記載のバリケード用支持脚のクランプ取付構造。
【請求項３】
中空のプラスチック枠体１の縦溝12がビーム部11側面から内側に凹入していることを特徴とする請求項１または２記載のバリケード用支持脚のクランプ取付構造。
【請求項４】
プラスチック枠体１の内部に加重物を充填すべく注入口14を配設したことを特徴とする請求項１〜３の何れか一つに記載の記載のバリケード用支持脚のクランプ取付構造。
【発明の詳細な説明】
【技術分野】
【０００１】
本発明は、工事現場などに設置する移動用バリケードの改良、更に詳しくは、支持脚に事後的な加工処理を必要としなくとも、ポールを掛架するために必須なクランプを簡単かつ確実に取り付けることができるバリケード用支持脚のクランプ取付構造に関するものである。
【背景技術】
【０００２】
周知のとおり、道路工事や建設工事の現場においては、危険防止や部外者の侵入を阻止するために、立入り通行を阻止できる移動式のバリケードを臨時的に設置して立入り禁止区域を明示するという措置が有効である。
【０００３】
かかる事情より、本願出願人は、嘗て、ポールなどの横架部材を少なくとも２個の支持脚に組立・分解ができるような現場で組み立てる方式のバリケードを提案して特許出願し（特許文献１参照）、登録を受けている（特許文献２参照）。
【０００４】
ところで、かかる従来のバリケードは、少なくとも２個の支持脚の間にポールを掛架して使用され、当該ポールを挟持するためのクランプが支持脚に固定されている。
【０００５】
このような汎用されているクランプＣは、通常、ポールを挟持する部品と、支持脚に取り付ける治具とから成り、挟持部品が取付時に回動自在になるように連結するとともに、この枢結軸を兼用する止着部品が取付治具の中心に貫通して配設されているため（図６参照）、かかる取付治具を支持脚のビーム部に固定するためには、このビーム部に止着孔ｈを開設して（図７参照）、この止着具を貫通させて締め付ける必要があった。
【０００６】
しかしながら、かかる止着孔ｈを開設する加工作業は非常に面倒であるとともに、その削り片が中空成形体である支持脚内部に入ってしまい、除去することが困難であるという不満があった。また、中空部分に重りのための液体などを充填する場合にあっても、この止着孔があると其処から漏れてしまうという問題があった。
【特許文献１】特開平８−3950号公報  （第３頁、第１−２図）
【特許文献２】特許第 2751005号公報
【発明の開示】
【発明が解決しようとする課題】
【０００７】
本発明は、従来の移動用バリケード、特に支持脚部材に上記のような問題があったことに鑑みて為されたものであり、その目的とするところは、支持脚に事後的な加工処理を必要としなくとも、ポールを掛架するために必須なクランプを簡単かつ確実に取り付けることができるバリケード用支持脚のクランプ取付構造を提供することにある。
【課題を解決するための手段】
【０００８】
本発明者が上記課題を解決するために採用した手段を添付図面を参照して説明すれば次のとおりである。
【０００９】
即ち、本発明は、脚部13において起立可能となるごとくブロー成形された中空のプラスチック枠体１であって、これら少なくとも２個のプラスチック枠体１・１間にポール部材Ｐを掛架するためのクランプ２を固定するためにビーム部11が設けられ、かつ、前記クランプ２は、ポール挟持部21と前記プラスチック枠体１のビーム部11に固定するための取付治具22とを連結して構成され、かつ、当該取付治具22にはシャンク部ｓを有する止着具22ａを備える一方、
前記ビーム部11の側面には、内側に凹入せる縦溝12が形成され、この縦溝12の凹入部に前記止着具22ａのシャンク部ｓを添合させるごとく充当して、この止着具22ａを止着することにより取付治具22がビーム部11に固定され、クランプ２を取り付けるという技術的手段を採用した。
【００１０】
また、本発明は、上記課題を解決するために、必要に応じて上記手段に加え、クランプ２の取付治具22の止着具22ａを、一対のボルト部材とナット部材とから構成し、このボルト部材の円筒部またはネジ部を縦溝12の凹入部に添合させた状態で前記ナット部材と螺合することにより止着せしめるという技術的手段を採用した。
【００１１】
更にまた、本発明は、上記課題を解決するために、必要に応じて上記手段に加え、中空のプラスチック枠体１の縦溝12がビーム部11側面から内側に凹入していることを特徴とする請求項１または２記載のバリケード用支持脚のクランプ取付構造。
するという技術的手段を採用した。
【００１２】
更にまた、本発明は、上記課題を解決するために、必要に応じて上記手段に加え、プラスチック枠体１の内部に加重物を充填すべく注入口14を配設するという技術的手段を採用した。
【発明の効果】
【００１３】
本発明の取付構造にあっては、中空のプラスチック枠体にビーム部を設け、このビーム部の側面に、内側に凹入せる縦溝を形成し、この縦溝の凹入部に前記止着具のシャンク部を添合させるごとく充当して、この止着具を止着することにより取付治具をビーム部に固定することができ、クランプを取り付けることができるように構成したことによって、支持脚に事後的な加工処理を必要としなくとも、ポールを掛架するために必須なクランプを簡単かつ確実に取り付けることができることから、産業上における利用価値は頗る高いと云える。
【発明を実施するための最良の形態】
【００１４】
本発明の実施形態を具体的に図示した図面に基いて更に詳細に説明すると次のとおりである。
【００１５】
本発明の実施形態におけるバリケード用支持脚のクランプ取付構造を図１から図５に基いて説明する。図中、符号１で指示するものは中空のプラスチック枠体であり、このプラスチック枠体１は、脚部13において起立可能となるごとくブロー成形されており、ビーム部11が形成されている。なお、本実施形態では、高分子ポリエチレンで作製する（図１参照）。
【００１６】
また、符号２で指示するものはクランプであり、このクランプ２は、ポール挟持部21と前記プラスチック枠体１のビーム部11に固定するための取付治具22とを連結して構成されている。そして、取付治具22にはシャンク部ｓを有する止着具22ａを備える。
【００１７】
しかして、本実施形態における取付機構は、まず、少なくとも２個のプラスチック枠体１・１間にポール部材Ｐを掛架するためのクランプ２を固定するためのビーム部11を（上部と下部の２箇所に）設ける。
【００１８】
本実施形態では、前記ビーム部11の側面に、内側に凹入せる縦溝12を形成した点に特徴がある（図２参照）。クランプ２は、通常、ポールを挟持する部品と、支持脚に取り付ける治具とから成り、挟持部品が取付時に回動自在になるように連結すると共に、この枢結軸を兼用する止着部品が取付治具の中心に貫通して配設されているからである。
【００１９】
そして、この縦溝12の凹入部に前記止着具22ａのシャンク部ｓを添合させるごとく充当して、この止着具22ａを止着することにより取付治具22をビーム部11に固定することができる（図３参照）。
【００２０】
本実施形態では、クランプ２の取付治具22の止着具22ａは、一対のボルト部材とナット部材とから構成されており、このボルト部材の円筒部またはネジ部を縦溝12の凹入部に添合させて、前記ナット部材と螺合することにより止着する。
【００２１】
このようにして、ビーム部11にクランプ２を取り付けることができ、然る後、ポール部材Ｐを挟持することにより、プラスチック枠体１・１間にポール部材Ｐを掛架してバリケードを構成することができるのである（図４参照）。
【００２２】
また、本実施形態では、図５に示すように、プラスチック枠体１の縦溝12をビーム部11底面から内側に凹入させて成形することもでき、この際、ポール挟持部21と取付治具22とはヒンジ連結されているものを採用すると使い勝手が良い。
【００２３】
更にまた、本実施形態では、プラスチック枠体１の内部に加重物を充填すべく注入口14を配設することができ、従来品と比較した場合に、充填物が漏れることがないため、より有効に安定ならしめることができる。
【００２４】
本発明は、概ね上記のように構成されるが、本発明は図示の実施形態に限定されるものでは決してなく、「特許請求の範囲」の記載内において種々の変更が可能であって、例えば、プラスチック枠体１のビーム部11の取付位置や数量、および縦溝12の形成位置や数量は変更することができるし、また、クランプ２の止着具22ａはボルト部材とナット部材に限らず、シャンク部ｓを有するものであれば良く、リベット状のものやクリップ状のものなどを採用することも可能であり、何れのものも本発明の技術的範囲に属する。
【図面の簡単な説明】
【００２５】
【図１】本発明の実施形態のバリケード用支持脚を表わす全体斜視図である。
【図２】本発明の実施形態のクランプ取付構造を表わす部分拡大斜視図である。
【図３】本発明の実施形態のクランプ取付構造を表わす部分拡大斜視図である。
【図４】本発明の実施形態のバリケード用支持脚の使用状態を表わす全体斜視図である。
【図５】本発明の実施形態のクランプ取付構造の変形例を表わす部分拡大斜視図である。
【図６】従来の汎用クランプを表わす全体正面図である。
【図７】従来のバリケード用支持脚を表わす全体斜視図である。
【符号の説明】
【００２６】
１    プラスチック枠体
11    ビーム部
12    縦溝
13    脚部
14    注入口
２    クランプ
21    ポール挟持部
22    取付治具
22ａ  止着具
ｓ    シャンク部
Ｐ    ポール部材
ｈ    止着孔
Ｃ    汎用クランプ
【図１】
2005226228.tif 000003
【図２】
2005226228.tif 000004
【図３】
2005226228.tif 000005
【図４】
2005226228.tif 000006
【図５】
2005226228.tif 000007
【図６】
2005226228.tif 000008
【図７】
2005226228.tif 000009